(57)【要約】      （修正有）【課題】複数人、例えば４人で用いる椅子で打合せスペースを形成するときは、閉じられた準個室的な空間雰囲気を様々な形態に演出することができる一方、この状態をばらせば個々の椅子としてオープンスペースに自由に展開することが可能なセミクローズ家具を提供する。【解決手段】一人が掛けられる平面から視て大略正方形を呈する椅子の座面を有すると共に、該座面の相隣る辺に沿って連続形態で立設された平面視大略Ｌ状をなす衝立パネルを有して形成した椅子状家具であって、該椅子状家具の少なくとも２個乃至４個又は４個以上を、互いに対向した向きで床面に仮想する少なくとも略平面四角形の隅部に配置して用いる。【選択図】図１
2020185403.tif 000002
【特許請求の範囲】
【請求項１】
平面から視て大略正方形を呈する椅子の座面を有すると共に、該座面の相隣る辺に沿って立設された平面視大略Ｌ状をなす衝立パネルを有して椅子状に形成したことを特徴とするセミクローズ家具
【請求項２】
請求項１の椅子状のセミクローズ家具（以下、椅子状家具という）の少なくとも２個乃至４個又は４個以上を、互いに対向した向きで少なくとも床面に仮想される略平面四角形の隅部に配置してセミクローズ空間を形成することを特徴とするセミクローズ家具。
【請求項３】
椅子状家具の複数個を平面から見て直線に沿って配置するか、規則的に対向配置するか、ランダムに配置して、各椅子状家具の夫々が単独で着座者の背後を衝立パネルにより周囲から遮るセミクローズ空間を形成するか、又は、前記セミクローズ空間と共にその配置された各椅子状家具の各衝立パネルが協働してセミクローズ空間を形成する請求項１又は２のセミクローズ家具。
【請求項４】
前記座面の平面形状は、大略正方形か、又は、正方形の隅部のアールを大きくした略円形に近い正方形か、或は、長辺が短い正方形に近い略長方形、通常長方形から略菱形までの四角形を含み、いずれも隅部をアール処理している請求項３のセミクローズ家具。
【請求項５】
請求項１〜請求項４のいずれかの椅子状家具は、椅子状家具から分離した衝立パネル、又は、別途用意した平面視大略Ｌ状のパネル部材によるパネル状家具、前記パネル状家具のパネル内面にテーブルとして使用できる天板体を支持させて設けたテーブル状家具の少なくとも１個以上と組み合わせて配置しセミクローズ空間を形成する請求項１〜４のいずれかのセミクローズ家具。
【請求項６】
平面視大略四角形の椅子の座面と該座面の隣接する２辺に沿って立設した平面略Ｌ状の衝立パネルを備えた椅子状家具、又は、前記パネルに前記座面に代えて天板を設けたテーブル状家具における前記パネルが、そのパネルの外側端部を、前記座面の前側端部又は前記天板の側端部からはみ出した翼状部に形成し、前記椅子状家具、又は／及び、テーブル状家具を並べて配置するとき前記翼状部同士を少なくとも当接させて配置しセミクローズ空間を形成することを特徴とするセミクローズ家具。
【請求項７】
パネルの内面に小天板を起伏式または固定して設けた請求項５又は６のセミクローズ家具。
【請求項８】
セミクローズ家具は、下端部にキャスタを備えた請求項１〜７のいずれかのセミクローズ家具。
【請求項９】
椅子状家具は、背もたれとなるクッションを備える請求項１〜８のいずれかのセミクローズ家具。
【請求項１０】
椅子状家具とパネル状家具とテーブル状家具のうち少なくとも２個を用いて形成したセミクローズ空間に、円形又は長方形若しくは正方形等の適宜平面形状の天板を有するテーブル配置した請求項２〜９のセミクローズ家具。
【請求項１１】
請求項１０のテーブルの天板には、その一端側に液晶モニタ等のフラットモニタ、又は、机上衝立を設けた請求項１０のセミクローズ家具。
【発明の詳細な説明】
【技術分野】
【０００１】
本発明は、家具の配置によってオフィス等の室内空間を、全体又は局所的にいわば個室のように閉じられた空間、或は、周りからほぼ遮られた空間（以下、セミクローズ空間という）に仕切る機能を備えた家具に関する。
本発明におけるセミクローズ空間とは、天井までが壁などで仕切られた閉鎖空間ではなく、人の視線を遮る程度に周囲から遮蔽された空間をいう。
【背景技術】
【０００２】
オフィスや家庭、或は、ファミリーレストランなどの室内空間においては、その空間内で行われる様々な作業や業務等の遂行に必要なテーブルや椅子等の家具を、適宜選択して所要の場所に配置して使用している。ここで、家具の配置には、家具単体、その家具と他の家具との組み合わせ、前記家具と建物の壁等との組み合わせによる配置がある。
【０００３】
オフィス等の空間において、一旦配置された家具は、レイアウト変更はできても、配置された家具単独で、或は、その家具と他の家具の組合せ等によって周囲から遮られたいわば準個室的な空間雰囲気を演出できる一方、オープンスペースに展開して通常家具の雰囲気で使用できる機能を備えた家具は見当らない。
【０００４】
従来、テーブルや椅子等の家具を用いて準個室的な雰囲気を演出できる家具としては、例えば椅子の背面に背の高い衝立を配置した椅子や衝立に屋根状の覆いを組合わせた特殊形態の衝立を組合わせたもの、或は、ソファーやスツールの背もたれを衝立作用をするように高く形成した家具が特許文献１〜３等により知られている。
しかし、このような手法により準個室的な雰囲気を演出できる家具では、その家具をオープンスペースでの単独家具として用いるとき利用しない衝立が生じたり、オープンスペースで用いる家具としては不適切な形態であったりして、オフィス用などの家具としての使い勝手が良好ではないという難点がある。
【先行技術文献】
【特許文献】
【０００５】
【特許文献１】特許第４５３７６９１号公報
【特許文献２】特開２０１５−８５０７１公報
【特許文献３】実公平６−１８５３９号公報
【発明の概要】
【発明が解決しようとする課題】
【０００６】
そこで本発明は、複数人、例えば４人で用いる椅子で打合せスペースを形成するときは、閉じられた準個室的な空間雰囲気を様々な形態に演出することができる一方、この状態をばらせば個々の椅子としてオープンスペースに自由に展開することが可能なセミクローズ家具を提供することを課題とする。
【課題を解決するための手段】
【０００７】
上記課題を解決することを目的としてなされていた本発明セミクローズ家具の構成は、一人が掛けられる平面から視て大略正方形を呈する椅子の座面を有すると共に、該座面の相隣る辺に沿って連続形態で立設された平面視大略Ｌ状をなす衝立パネルを有して形成した椅子状家具であって、該椅子状家具の少なくとも２個乃至４個又は４個以上を、互いに対向した向きで床面に仮想する少なくとも略平面四角形の隅部に配置して用いることを特徴とする。
本発明椅子状家具は、その複数個を平面から見て直線に沿って配置したり、ランダムに配置して用いるなど適宜の配置レイアウトで用いて着座者の座面の背後が衝立パネルにより周囲から遮られたセミクローズ空間を形成できる。
上記椅子状家具は、衝立パネルの左右の外側端縁が前記座面の前側端部から少しはみ出した翼状形態すると、当該家具同士を並べるとき前記翼状部を当接させて並べることによりセミクローズ空間を適切に形成できる。
本発明における前記座面の平面形状には、大略正方形又は隅部のアールを大きくした略円形に近い正方形がある。また、前記座面には、長辺が短い正方形に近い略長方形や通常長方形から略菱形までの四角形を含み、いずれも隅部をアール処理されていることが望ましい。さらに前記座面には、その隣接する２辺が背後に背が低い立壁を備え、この立壁に衝立パネルを備えたものもある。
【０００８】
本発明セミクローズ家具には、前記座面から外した前記衝立パネル、又は、別途用意した平面視大略Ｌ状のパネル部材によるパネル状家具と、前記パネルの内面に、テーブルとして使用できる天板体を支持させることによりテーブル状家具に形成したものがある。前記椅子状家具又はパネル状家具では、パネル内面に小天板を備えたものがある。
【０００９】
上記の本発明セミクローズ家具は、いずれの家具も下端部にキャスタを設け、それぞれ移動自在に形成できる。なお、衝立パネルは重量が小さい場合にはキャスタを設けないものがある。また、キャスタにストッパ付のものを用いるかどうかは任意であるが、ストッパを備えたキャスタが好ましい。
【００１０】
本発明における椅子状家具には、背もたれとなるクッションを備えたものが好ましい。座面に対する着座の向きによって着座者の背中に真後ろから前記のクッションを当てがい座り心地を良好にするためである。
【００１１】
また、本発明では、前記椅子状家具を一例として少なくとも４個用いてグループ業務用のセミクローズスペースを創成するとき、円形や長方形等の天板を有するテーブルを用いることがある。テーブルの天板には、その一端側に、液晶モニタ等によるフラットモニタを配置したり、或は、机上衝立を備えたものがある。前記椅子状家具を空間内にランダムに配置して個々人が各自で自由に使用するときには、前記椅子状家具に必要に応じて一人用の小天板テーブルを付けて用いることがある。
【発明の効果】
【００１２】
本発明は一人が掛けられる平面から視て例えば大略正方形を呈する座面を有すると共に、該座面の相隣る辺に沿った連続形態で立設された平面視大略Ｌ状をなす衝立パネルを有して椅子状家具としたから、この椅子状家具単独でセミクローズ空間を備えたセミクローズ家具として用いることが出来ると共に、例えば、前記椅子状家具の４個を、互いに対向した向きで平面四角形の少なくとも四隅に配置して各椅子状家具の衝立パネルに略囲まれたセミクローズ空間を形成することが出来る。一方、前記の各椅子状家具を同じ向きで平面から見て直線に沿って配置したり、又は、各椅子状家具の向きを互い違いにして直線状に配置したり、或は、ランダムに配置するなど適宜の配置パターンで用いることができる。
一方、ファミリーレストラン等の固定式に形成されたセミクローズ空間では、６人用席を４人で使用するとスペースの無駄が生じるが、本発明セミクローズ家具を用いれば４人用や６人用等のセミクローズ空間の席を、用途や人数に応じて柔軟かつスペース効率よく容易に形成できる。
さらに本発明セミクローズ家具は、集中業務等の個人ユースのセミクローズ空間と打合せ等のグループ業務に適したセミクローズ空間を、同じ家具を用いて容易かつ迅速に設置したり変更することが出来る。
【図面の簡単な説明】
【００１３】
【図１】本発明椅子状家具の一例の斜視図。
【図２】図１の家具２個を左右に並べた例の斜視図。
【図３】図１の椅子状家具の模式的平面図。
【図４】図３の椅子状家具のつい立面に小天板を設けた椅子状家具の例の平面図。
【図５】椅子状家具の別例を左右に並べた例の平面図。
【図６】図１の二つの椅子状家具の間に本発明椅子状家具の他の例を挟んで並べた例の平面図。
【図７】本発明つい立状パネル家具の一例の平面図。
【図８】本発明テーブル状家具の一例の平面図。
【図９】本発明セミクローズ家具と組み合わせて使用する長方形天板を有するテーブルの平面図。
【図１０】本発明セミクローズ家具と組み合わせて使用する円形天板を有するテーブルの平面図。
【図１１】図９、図１０のテーブルと同じように使用する小天板テーブルの平面図。
【図１２】図４の本発明椅子状家具の４個を用いて形成したセミクローズ空間の第一例の平面図。
【図１３】図４の本発明椅子状家具の４個を用いて形成したセミクローズ空間の第二例の平面図。
【図１４】図４の本発明椅子状家具の４個と図９のテーブルを用いて形成したセミクローズ空間の第三例の平面図。
【図１５】図３の本発明椅子状家具の４個と図１０の円形天板のテーブルを用いて形成したセミクローズ空間の第四例の平面図。
【図１６】図３、図４の本発明椅子状家具５個をオープンスペースに展開した一例の平面図。
【図１７】図３の本発明椅子状家具の４個と短辺に机上衝立を有する長方形天板を有するテーブルでセミクローズ空間を形成した例の平面図。
【図１８】図３の本発明椅子状家具の６個を長方形天板のテーブルを挟んで配置してセミクローズ空間を形成した例の平面図。
【図１９】カウンター又は横長天板のテーブルの一辺に沿って図３の本発明椅子状家具の４個を配置した例の平面図。
【図２０】図８の本発明テーブル状家具を互い違いに向い合せた例の平面図。
【図２１】本発明パネル状家具とテーブル状家具を横方向に並べ、夫々と本発明椅子状家具を組合わせて配置した例の平面図。
【図２２】本発明パネル状家具を横並びに突合せ配置して平面略コ状に形成したコーナーに小円形天板のテーブルを電話代配した電話コーナーの平面図。
【図２３】本発明椅子状家具の２個を、ホワイトボード又は衝立を脇に置いて対面配置した２人用打合せスペースの平面図。
【図２４】図２２のパネル状家具にフラット画面を設けたコーナーに長方形天板のテーブルを配置すると共に前記パネル状家具の対向面に図３の椅子状家具の２個を並べてセミクローズ空間に形成し、この空間内部に背面パネルを備えない椅子を配置した例の平面図。
【図２５】図２４のパネル状家具とフラット画面のコーナーに対し図６の長椅子状家具と図１１の小天板テーブルを対向配置してセミクローズ空間にした例の平面図。
【図２６】図２４のパネル状家具とフラット画面によるコーナー部に長方形天板のテーブルを配しテーブルを挟んで図６の長椅子状家具と背面パネルを備えない椅子を配置してセミクローズ空間に形成した例の平面図。
【図２７】机上衝立を短辺側に備えた長天板テーブルを挟んで図６の長椅子状家具と図３の椅子状家具を配置して形成したセミクローズ空間の例の平面図。
【図２８】図６の長椅子状家具をＬ状に並べその隅部に図３の本発明椅子状家具を置き該椅子状家具の対向面に本発明椅子状家具を配置してセミクローズ空間に形成しこの空間内部に図１１の小天板テーブルを配置した例の平面図。
【図２９】横一列に並べた２個の長椅子状家具に対し該家具の一側部の対面にパネル状家具を置くと共に前記家具の他側部の対面に図４の椅子状家具を配置して形成したセミクローズ空間に図１１の小天板テーブルを配置した例の平面図。
【図３０】図２８のセミクローズ空間において、Ｌ状に並べた長椅子状家具の夫々の外側端に、図１の椅子状家具を置いてクローズ感を高めた例の平面図。
【図３１】図１の椅子状家具とパネル状家具とを、夫々の衝立パネルとパネル部材の挟み角を仮想四角形平面の対角線上で対向させて配置し、さらに小テーブルを配置したセミクローズ空間の例の平面図。
【図３２】図３１のパネル状家具と椅子状家具の衝立パネルとを横並びに並べたセミクローズ空間の例の平面図。
【図３３】図３２のセミクローズ空間を形成した椅子状家具とパネル状家具の組み合わせ配置の３組を、縦列配置した例の平面図。
【図３４】２個の長椅子状家具の間にテーブルを挟んだこの図の上方に示す配置に置いて、前記椅子状家具の夫々の外端に、小テーブル付きの本発明椅子状家具を付加することにより、この図の下方に示す拡大セミクローズ空間を形成する例の平面図。
【図３５】本発明椅子状家具の２個とパネル状家具と円形天板のテーブルで少人数用の準個室（セミクローズ空間）として形成した例の平面図。
【図３６】２個の小天版テーブルを置いた長椅子（ソファー）の片側に、その部分の平面形状に沿ってパネル状家具を置き、簡易なクローズ感を出して形成した例の平面図。
【図３７】図３６のレイアウトを、２台のソファーを並べて左右方向に延ばし、前記ソファーのラインを一辺とする仮想四角形平面における一の対角線上の遇部に２個のパネル状家具を配置すると共に、他の対角線上の遇部に小テーブル付きスツールを配置して形成した空間の例の平面図。
【図３８】図３７のレイアウトにおいて、仮想四角形平面の対角線上に配置していたパネル状家具を、ソファーの他の例の側端部に配置して形成した例の平面図。
【発明を実施するための形態】
【００１４】
次に本発明セミクローズ家具の実施の形態例について図１〜図２９、並びに、図３０〜図３８を参照して説明する。
【００１５】
図１，図２において、１は、人が一人掛けられる大きさで平面から見て角部をアール処理して丸めた大略正方形を呈する椅子の座面である。この座面１は、平面視９０度の挟み角で隣接する２つの立壁部を除去して残りの２つの立壁部の全方側を開放した形態の大略有底箱状の座面支持フレーム２の上に設けられている。２ｃは前記支持フレームの底部である。
【００１６】
前記支持フレーム２の残った挟み角９０度の立壁２ａ，２ｂの背面には、衝立作用を有する平面略Ｌ状の衝立パネル３がそのパネル面３ａ，３ｂの前面を前記立壁２ａ，２ｂの背面に密接して立設されている。前記パネル３の前面と座面支持フレーム２の背面とを、密着固定するか分離自在にするかは、任意に選択できる。
上記衝立パネル３の構造としては、木質系，メタル系，プラスチック系等の材料で形成した前記パネル３と略同形状の面状部材の外面を外装材で被覆したパネル体、或は、パネル体の外形とその内部を支える支骨部から成るパネルフレームをメタル等のパイプ材等で形成し、当該フレームを織布又は編布等の柔軟シート材で包んだ形態のパネル体があり、本発明ではいずれの形態のパネル体による衝立パネル３であってもよい。
また、上記衝立パネル３の外側端部は、図１、図２の例では座面１の前側端縁と略同面に形成されているが、前記パネル３の外側端部が座面１の前側端部より少しはみ出した左右の翼状部３ｃ、３ｄに形成されたもの（後述する図３、図４参照）がある。
【００１７】
４は、前記座面１の上に配置されている主として背もたれとして利用するクッションである。クッション４は、座面１の使用時に前記支持フレーム２の立壁２ａ又は２ｂを選択して配置し、着座者Ｍの座る向きによってその者の背もたれとして機能する。このクッション態様のほか、立壁２ａと２ｂをまたぐようにクッション４を置き、座面１のコーナーに着座するときの背もたれとすることもできる。図において、５は前記支持フレーム１の底部２ｃの下面四隅に設けた自在キャスタである。
【００１８】
上記座面１からキャスタ５までの構成部材により、単体で本発明セミクローズ家具の一例をなす椅子状家具ＣＦの例を形成する。なお、前記椅子状家具ＣＦの座面１には、図示しないが正方形の角部のアールを大きくとってほぼ円形に近い平面形状の座面１もある。
また、上記座面１には、図示しないが隣接する２辺に立壁２ａ，２ｂを一体的に設け、当該座面１の下面四隅に短い脚柱を介してキャスタ５を設けて前記支持フレーム２は用いないタイプがある。
【００１９】
前記の本発明椅子状家具ＣＦは、端的に謂えば、一人掛けソファーの背後に平面略Ｌ状の衝立パネルを設けた形態であるが、着座方向が、座面１の直交する２辺の２方向と該２辺の角部を含む少なくとも３方向である点で、着座方向が１辺の公知ソファーとは異なっており、それ故に当該椅子状家具ＣＦの複数個を用いた様々な配置によって多様な形態のセミクローズ空間を演出することができる。
【００２０】
本発明では、上記椅子状家具ＣＦを用いたセミクローズ家具、或は、セミクローズ空間の演出に資するため、図５、図６に例示する椅子状家具ＣＦ２、ＣＦ３を用いることがある。即ち、図５の椅子状家具ＣＦ２は、は座面１が正方形状ではなく、短か目の長辺による長方形状の座面１Ａと共に、底面背後のパネル３も座面１Ａの平面形状に合わせた異形Ｌ状の衝立パネル３Ａを有する椅子状家具であり、また図６の椅子状家具ＣＦ３は、座面１が略長方形状の座面１Ｂであって、それ故に背後のパネル３も平板状の衝立パネル３Ｂである点で、図１の椅子状家具ＣＦと異なっている。なお、図５の椅子状家具ＣＦ２の衝立パネル３Ａには、図１の椅子状家具ＣＦの衝立パネル３を用いることもできる。
【００２１】
本発明では、図１の椅子状家具ＣＦにおいて、図４に例示したように衝立パネル３の内側面に、メモ台的に用いる小面積の小天板６を設けたものがある。小天板６は、前記パネル３のどちらのパネル面３ａ又は３ｂに設けてもよい。また、パネル面３ａ，３ｂに代えて支持フレーム２の立壁２ａ，２ｂの上縁に設けることもある。さらに、座面１の下面から突出させた支持アーム等に設けた形態でもよい。なお、小天板６の形状は、図示した円形に限られず、長方形や他の形状であってもよい。また、小天板６を、起伏自在等の可変タイプの形態で設けることもできる。
【００２２】
本発明では、図１〜図４の椅子状家具ＣＦ〜ＣＦ３と組合せたセミクローズ家具やセミクローズ空間（セミクローズスペースと言うこともある）を形成するため、図７に示す平面略Ｌ状の面状部材によるパネル状家具ＰＦや、図８に示す前記パネル状家具ＰＦに天板を設けたテーブル状家具ＴＦ等を用いるようにした。以下にパネル状家具ＰＦとテーブル状家具ＴＦについて述べる。
【００２３】
図７のパネル状家具ＰＦは、平面から見て略Ｌ状の内側にパネル面７ａ，７ｂを持つパネル部材７により形成されている。平面から見て９０度の挟み角をなす２つのフラットなパネル面７ａ，７ｂを有するパネル部材７は、例えば、１つの面状部材を９０度曲げてパネル体に形成したもの、或は、２つの面状部材をコーナー部で接合してパネル体に形成したもの、或は、前記椅子状家具ＣＦから分離して独立させた衝立パネル３を援用したものである。なお、前記パネル部材７も段落００１６で述べた衝立パネル３と同様のパネル構造のものである。
このパネル状家具ＰＦは、図には表れないが、通常は移動用のキャスタ、又は、滑子（スライダー）が設けられているが、重量が小さい場合等には前記キャスタやスライダーを備えないパネル状家具ＰＦもある。
本発明パネル状家具ＰＦは、単体で使用する使用者、又は、周囲の者にセミクローズ空間を感じさせるために、一例としてパネル面７ａ，７ｂの高さを、平均的身長の人の視線より高く形成することが好ましい。
【００２４】
図８のテーブル状家具ＴＦは、図７のパネル状家具ＰＦにおけるパネル部材７の９０度の挟み角で対面する２つのパネル面７ａ，７ｂに、一例として通常デスクやテーブルの天板の高さと同等高さに、図７の例では平面から見て大略三角形状の天板８を設けて形成されている。
天板８は、上記三角形状のもののほか、略四角形、手前側の辺が円弧状やＬ字状をなすものでもよい。また天板８は、パネル面７ａ，７ｂに対して着脱自在や起伏自在に設けることもできる。またパネル部材７の左右の外側端部は、天板８の左右の側端部から少しはみ出した翼状部７ｃ、７ｄに形成されている。
【００２５】
図７，図８の平面略Ｌ状のパネル部材７を用いたパネル状家具ＰＦにおけるパネル面７ａ，７ｂの大きさは、先に述べた椅子状家具ＣＦが備えた平面Ｌ状の衝立パネル３のパネル面３ａ，３ｂと少なくとも同じ大きさか、前記パネル面３ａ，３ｂよりも大きいパネル面７ａ，７ｂにより形成されればよい。
これは、本発明の椅子状家具ＣＦとパネル状家具ＰＦ、或は、テーブル状家具ＴＦとの組み合わせによりセミクローズ家具乃至セミクローズ空間を形成しやすくするためである（図２０〜図２５参照）。
【００２６】
単体で本発明のセミクローズ家具の一例である椅子状家具ＣＦとの組み合わせでセミクローズ空間を形成するために使用する家具としては、図９〜図１１に例示した様々な形状の天板を有するテーブル９，１０，１１がある。図９のテーブル９は、椅子状家具ＣＦにおける座面１の一辺の大略２倍程度の長さの長方形天板９ａを備えており、図１０のテーブル１０は、座面１とそれほど変わらない面積を有する円形天板１０ａを備えており、図１１のテーブル１１は、座面１の半分以下の大きさ（形状，面積）の小さい正方形天板１１ａを備えたものである。
【００２７】
上記各テーブル９〜１１において、夫々の天板９ａ〜１１ａを支持するテーブル脚は、同等の天板支持に用いられている脚体が用いられているものとする。
例えば、円形天板１０ａ，小円形天板１１ａは、円板状の足や放射状の足に１本支柱を立設したタイプの脚体で、また長方形天板９ａは、Ｔ字脚やＬ字脚のように脚本数が少ない脚体で支持している。要すれば、形成されたセミクローズ空間に出入りしたり、その空間内を移動するときに邪魔になりにくい脚体が選択される。
【００２８】
上記図１〜図１１により説明した本発明椅子状家具ＣＦ，ＣＦ２，ＣＦ３、同じくパネル状家具ＰＦとテーブル状家具ＴＦ、並びに、本発明家具と組み合わせる在来のテーブル９〜１１などを用いて設定した本発明セミクローズ家具乃至セミクローズ空間の例について、図１２〜図２９を参照して以下に説明する。
【００２９】
図１２は、図４の小天板６を具備する本発明椅子状家具ＣＦの４個を、左右で衝立パネル３，３の外側縁の翼状部３ｃ，３ｄを突き合わせて２個並べ、並べた２個の椅子状家具ＣＦを対向配置して形成したセミクローズ空間の第一例である。この例では、向かい合う着座者Ｍの背後が左右の衝立パネル３，３の翼状部３ｃ，３ｄで略完全に塞がれるので、遮蔽性の高いセミクローズ空間を形成できる。
図１３は、図１２の配置例における左右の家具ＣＦの衝立パネル３を少し離間させて形成したセミクローズ空間の第二例であり、第一例より広さと開放感を感じるセミクローズ空間を形成している。
図１４は、図１３の配置例において空間内部に図９の長方形天板９ａのテーブル９入れて形成したセミクローズ空間の第三例であり、図１５は、図１３の配置において前記テーブル９に代えて図１０の円形天板１０ａのテーブル１０を入れ、該テーブル１０の周りに４個の椅子状家具ＣＦを自由な感じで配置して形成したセミクローズ空間の第四例である。図１５の椅子状家具ＣＦでは小天板６を備えない椅子状家具ＣＦを使用している。
図１２〜図１５のセミクローズ空間はいずれも４個の椅子状家具ＣＦを床面に仮想する略平面四角形スペースの略四隅に配置したとき、各家具ＣＦの平面視Ｌ状の衝立パネル３にほぼ囲まれたセミクローズ空間を形成するから、広いフロアーに会議室や打合せ部屋等の場所が無くても、そのような場所に代替できる閉じられた雰囲気を容易に形成することが出来る。
図１６は上記の椅子状家具ＣＦの５個を広い床面空間にフリー配置し、個々人が夫々に各椅子状家具ＣＦによるセミクローズ空間を感じながら思索や業務等に集中している例である。
図１２〜図１５に示した本発明椅子状家具ＣＦは、座面１に対して衝立パネル３の前方側の外側端縁が座面１から少しはみ出した翼状部３ｃ，３ｄを備えたものを使用している。このように衝立パネル３の両外側縁が座面１の前端縁からはみ出した翼状部３ｃ，３ｄを備えた椅子状家具ＣＦでは、より遮蔽性の高いセミクローズ空間を形成できる。なお、図１６〜図２９の椅子状家具ＣＦもすべて衝立パネル３の側縁が座面１の前端からはみ出した形態のものである。
ここで、衝立パネル３の両外側縁がはみ出した翼状部３ｃ，３ｄの形態には、例えばパネルの高さ方向で均等にはみ出したもの、或は、パネル上端から下端に向けてテーパ―状に（傾斜して）はみ出したもの、又は、はみ出し部分が座面側に曲ったもの等がある。
本発明のセミクローズ空間の形成に上記のようなはみ出した翼状部３ｃ，３ｄのない椅子状家具ＣＦを使用できることは勿論である。
【００３０】
図１７は、図３の本発明椅子状家具ＣＦの４個と短辺に机上衝立Ｔｐを有する長方形天板９ａを有するテーブル９で、衝立パネル３，３とこのパネル３，３に挟まれた机上衝立Ｔｐが略一体感のある壁面をなすセミクローズ空間を形成した例、図１８は、図３の本発明椅子状家具ＣＦの６個を、長めの長方形天板９ａのテーブル９を挟んで３個ずつ配置してセミクローズ空間を形成した例で、図１８の例では各椅子状家具ＣＦの衝立パネル３が平面視波型をなし、且つ、各パネル３の両外側縁の翼状部３ｃ，３ｄが当接するように並べて遮蔽性の高いセミクローズ空間を作っている。
図１９は、カウンター又は横長天板のテーブル９の一辺に沿って図３の本発明椅子状家具ＣＦの４個を互いに離間して配置した例で、この例では各椅子状家具ＣＦが個々にセミクローズ空間として作用していると同時に、全体が左右側端の家具ＣＦの対称配置されたパネル３と中間の家具ＣＦのパネル３の背面によって緩いセミクローズ空間に形成されている。図１９において、テーブル９の右半側に位置した２個の椅子状家具ＣＦは、パネル３を対向した配置にして２人用ミーティングスペースを形成している。
【００３１】
図２０は、図８の本発明テーブル状家具ＴＦの３個の各パネル７を互い違いに向い合せて形成したセミクローズ空間の例である。
図２１は、本発明パネル状家具ＰＦとテーブル状家具ＴＦをパネル面７ａ，７ｂを平行に揃えた向きで横方向に並べ、夫々の家具ＰＦとＴＦの夫々のパネル面７ａ，７ｂとに本発明椅子状家具ＣＦのパネル面３ａ，３ｂが対面するように組合せ配置して形成した２個のセミクローズ空間の平行配置例である。この例の各パネル状家具ＰＦ、テーブル状家具ＴＦと椅子状家具ＣＦを組み合わせたセミクローズ空間は、その３個以上をフロア上に任意に展開することが出来る。
図２２は、本発明パネル状家具ＰＦの２個を夫々のパネル面７ａと７ｂが略コ状となるように横並びで突合せ配置して形成したコーナーに円形天板１０ａのテーブル１０を電話台として配置した電話台コーナーの例、図２３は、中間にホワイトボード等の情報パネルＰｉを介して図４の椅子状家具ＣＦの２個を向い合せで配置して形成した情報共有型のセミクローズ空間の例、図２４は、図２２と同じ略コ状に配置したパネル状家具ＰＦにフラット画面Ｆｐを設けて形成したコーナーに、長方形天板９ａのテーブル９を配置し、前記パネル状家具ＰＦのパネル面７ａ，７ｂの対向面に図３の椅子状家具ＣＦの２個をそのパネル面３ａ，３ｂを対面させて並べセミクローズ空間を形成し、このセミクローズ空間の内部に背面パネル３を備えない２個のソファー等の椅子Ｃを配置した例、図２５は、図２４のパネル状家具ＰＦとフラット画面Ｆｐによるコーナーに対し図６の長椅子状家具ＣＦ３と図１１の小天板テーブル１１を対向配置してセミクローズ空間にした例、図２６は、図２４のパネル状家具ＰＦとフラット画面Ｆｐによるコーナー部に図２６の天板より長い長方形天板のテーブル９を配し、該テーブル９を挟んで図６の長椅子状家具ＣＦ３と背面パネル３を備えないソファー等の椅子Ｃを配置してセミクローズ空間に形成した例である。
図２０〜図２６に例示したセミクローズ空間は、図７、図８のパネル状家具ＰＦ、テーブル状家具ＴＦと椅子状家具ＣＦとの組み合わせによる本発明セミクローズ空間の例である。
【００３２】
図２７は、机上衝立Ｔｐを短辺側に備えた長天板のテーブル９を挟んで図６の長椅子状家具ＣＦ３と図３の椅子状家具ＣＦを配置して形成したセミクローズ空間の例、図２８は、図６の長椅子状家具ＣＦ３をＬ状に並べ、そのＬ状の隅部に図３の本発明椅子状家具ＣＦを置き、該椅子状家具ＣＦの対角線上の対向面に本発明椅子状家具ＣＦを配置して形成したセミクローズ空間で、この空間内部には図１１の小天板テーブル１１を配置している。
図２９は、横一列に並べた２個の長椅子状家具ＣＦ３に対し該家具ＣＦ３の一側部の対面にパネル状家具ＰＦを置くと共に、前記家具ＣＦ３の他側部の対面に図４の椅子状家具ＣＦを配置して形成したセミクローズ空間の例であり、前記長椅子状家具ＣＦ３の前には図１１の小天板テーブル１１が４個配置されている。
【００３３】
図３０は、図２８に示したセミクローズ空間において、平面視略Ｌ状に並べた長椅子状の椅子状家具ＣＦ３の夫々の外側端に、図１の本発明椅子状家具ＣＦを置いて、この図の椅子配置におけるクローズ感を高めた例である。
【００３４】
図３１〜図３３は、図１の椅子状家具ＣＦとパネル状家具ＰＦと小天板のテーブル１１の組合せの配置違いによってクローズ感に違いを出した例であって、図３１は椅子状家具ＣＦとパネル状家具ＰＦを、仮想四角形平面の対角線上に配置した例、図３２は前記２主の家具ＣＦとＰＦを対称な関係を以て横一列に配置した例、図３３は図３２の配置例の３組を、縦列に配置した例である。
図３３のレイアウトでは、前方に配置された衝立パネル３とパネル部材７の背面によって自席のクローズ感が高まる効果がある。なお、図３１〜図３３においては、衝立パネル３とパネル部材７の大きさを、同じ大きさ程度のパネル体を用いた例として表している。
【００３５】
図３４は、２本の長椅子状家具ＣＦ３の間にテーブル９を挟んだこの図の上方に示す配置において、前記椅子状家具ＣＦ３の夫々の外端に、小天板６付きの椅子状家具ＣＦを付加することにより、この図の下方に示す拡大セミクローズ空間を形成した例である。
【００３６】
図３５は、本発明椅子状家具ＣＦを２個、パネル状家具ＰＦ、円形天板のテーブル１０を用いることによって、少人数用のいわば準個室（セミクローズ空間）を形成した例である。
【００３７】
図３６〜図３８は、少なくとも２人掛用のソファー（長椅子）ＬＳと、パネル状家具ＰＦと、小天板テーブル１１を用いてレイアウトしたセミクローズ空間の例で、図３６は１台のソファーＬＳの一側の後方隅部にパネル状家具ＰＦを置くことにより、簡易なクローズ感を出した例、図３７は図３６のレイアウトを、２台のソファーＬＳを左右方向に延ばし、２台のソファーＬＳのラインを一辺とする仮想四角形平面における一の対角線上の隅部に２個のパネル状家具ＰＦを配置し、他方の対角線上の隅部に小天板を備えたスツールＣを配置してセミクローズ空間に形成した例、図３８は図３７のレイアウトにおいて、対角線上に配置していたパネル状家具ＰＦを、ソファーＬＳの他方の側端部に配置してセミクローズに形成した例である。
【００３８】
本発明は以上の通りであって、背面に背の高い平面視略Ｌ状の衝立パネルを備えたことにより単独でもセミクローズ雰囲気を有する椅子状家具ＣＦを中心にして、この家具ＣＦを複数個用いるか、或は、この家具ＣＦの衝立パネル３が独立した形態のパネル状家具ＰＦ、及び／又は、このパネル状家具ＰＦに天板８を付けて形成したテーブル状家具ＴＦを前記椅子状家具ＣＦと組合わせて用いることにより、前記椅子状家具ＣＦの座面に座った者の背面、側面、前面を周囲から視覚的に並びに聴覚的にもほぼ遮蔽された感じを享有できる空間を形成できる。
【符号の説明】
【００３９】
ＣＦ，ＣＦ２，ＣＦ３  椅子状家具
Ｍ  着座者
１  座面
２  支持フレーム
２ａ，２ｂ  立壁
３  衝立パネル
３ａ，３ｂ  パネル面
３ｃ，３ｄ  翼状部
４  クッション
５  自在キャスタ
６  小天板
ＰＦ  パネル状家具
７  パネル部材
７ａ，７ｂ  パネル面
ＴＦ  テーブル状家具
８  天板
９  長方形天板のテーブル
１０  円形天板のテーブル
１１  小天板テーブル
【図１】
2020185403.tif 000003
【図２】
2020185403.tif 000004
【図３】
2020185403.tif 000005
【図４】
2020185403.tif 000006
【図５】
2020185403.tif 000007
【図６】
2020185403.tif 000008
【図７】
2020185403.tif 000009
【図８】
2020185403.tif 000010
【図９】
2020185403.tif 000011
【図１０】
2020185403.tif 000012
【図１１】
2020185403.tif 000013
【図１２】
2020185403.tif 000014
【図１３】
2020185403.tif 000015
【図１４】
2020185403.tif 000016
【図１５】
2020185403.tif 000017
【図１６】
2020185403.tif 000018
【図１７】
2020185403.tif 000019
【図１８】
2020185403.tif 000020
【図１９】
2020185403.tif 000021
【図２０】
2020185403.tif 000022
【図２１】
2020185403.tif 000023
【図２２】
2020185403.tif 000024
【図２３】
2020185403.tif 000025
【図２４】
2020185403.tif 000026
【図２５】
2020185403.tif 000027
【図２６】
2020185403.tif 000028
【図２７】
2020185403.tif 000029
【図２８】
2020185403.tif 000030
【図２９】
2020185403.tif 000031
【図３０】
2020185403.tif 000032
【図３１】
2020185403.tif 000033
【図３２】
2020185403.tif 000034
【図３３】
2020185403.tif 000035
【図３４】
2020185403.tif 000036
【図３５】
2020185403.tif 000037
【図３６】
2020185403.tif 000038
【図３７】
2020185403.tif 000039
【図３８】
2020185403.tif 000040
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
座面及び立壁を有し、着座者が座る向きを少なくとも三方向選択しうる一人掛け用の椅子と、
前記立壁の背面に隣接配置され前記立壁よりも高さが大きい平面視略Ｌ状をなす衝立パネルと、
前記座面及び立壁とは別体に構成され背もたれとして利用できる背クッションと、
を備えるセミクローズ家具であって、
前記セミクローズ家具は、単独配置されることで個人ユースのセミクローズ空間を形成可能であると共に、他の椅子状家具と組み合わせて配置されることでグループ業務に適したセミクローズ空間を形成可能であり、
さらに前記背クッションは、着座者の前記座面に座る向きに応じて着座者の背面に移動させて配置可能である、
セミクローズ家具。
【請求項２】
前記背クッションは、前記座面の上に配置されることで背もたれとして機能する、
請求項１に記載のセミクローズ家具。
【請求項３】
前記座面の平面形状は、大略正方形、正方形の隅部のアールを大きくした略円形に近い正方形、長辺が短い正方形に近い略長方形、通常長方形から略菱形までの四角形を含みいずれの隅部もアール処理している四角形から選ばれる、
請求項１又は２に記載のセミクローズ家具。
【請求項４】
前記立壁は、前記座面の外周辺に沿って平面視９０度で２つ配置される、
請求項１〜３のいずれかに記載のセミクローズ家具。
【請求項５】
前記衝立パネルは、その外側端部の少なくとも一部に、前記座面からはみ出た翼状部が形成される請求項１〜４のいずれかに記載のセミクローズ家具。
【請求項６】
前記椅子は、底部四隅にキャスタが配置される請求項１〜５のいずれかに記載のセミクローズ家具。
【手続補正２】
【補正対象書類名】明細書
【補正対象項目名】０００７
【補正方法】変更
【補正の内容】
【０００７】
上記課題を解決することを目的としてなされた本発明セミクローズ家具の構成は、座面及び立壁を有し、着座者が座る向きを少なくとも三方向選択しうる一人掛け用の椅子と、前記立壁の背面に隣接配置され前記立壁よりも高さが大きい平面視略Ｌ状をなす衝立パネルと、前記座面及び立壁とは別体に構成され背もたれとして利用できる背クッションと、を備えるセミクローズ家具であって、前記セミクローズ家具は、単独配置されることで個人ユースのセミクローズ空間を形成可能であると共に、他の椅子状家具と組み合わせて配置されることでグループ業務に適したセミクローズ空間を形成可能であり、さらに前記背クッションは、着座者の前記座面に座る向きによって着座者の背面に移動させて配置可能であることを特徴とする。
【手続補正３】
【補正対象書類名】明細書
【補正対象項目名】００３１
【補正方法】変更
【補正の内容】
【００３１】
図２０は、図８の本発明テーブル状家具ＴＦの３個の各パネル７を互い違いに向い合せて形成したセミクローズ空間の例である。
図２１は、本発明パネル状家具ＰＦとテーブル状家具ＴＦをパネル面７ａ，７ｂを平行に揃えた向きで横方向に並べ、夫々の家具ＰＦとＴＦの夫々のパネル面７ａ，７ｂとに本発明椅子状家具ＣＦのパネル面３ａ，３ｂが対面するように組合せ配置して形成した２個のセミクローズ空間の平行配置例である。この例の各パネル状家具ＰＦ、テーブル状家具ＴＦと椅子状家具ＣＦを組み合わせたセミクローズ空間は、その３個以上をフロア上に任意に展開することが出来る。
図２２は、本発明パネル状家具ＰＦの２個を夫々のパネル面７ａと７ｂが略コ状となるように横並びで突合せ配置して形成したコーナーに円形天板１０ａのテーブル１０を電話台として配置した電話台コーナーの例、図２３は、中間にホワイトボード等の情報パネルＰｉを介して図４の椅子状家具ＣＦの２個を向い合せで配置して形成した情報共有型のセミクローズ空間の例、図２４は、図２２と同じ略コ状に配置したパネル状家具ＰＦにフラット画面Ｆｐを設けて形成したコーナーに、長方形天板９ａのテーブル９を配置し、前記パネル状家具ＰＦのパネル面７ａ，７ｂの対向面に図３の椅子状家具ＣＦの２個をそのパネル面３ａ，３ｂを対面させて並べセミクローズ空間を形成し、このセミクローズ空間の内部に背面パネル３を備えない２個のソファー等のスツールＣを配置した例、図２５は、図２４のパネル状家具ＰＦとフラット画面Ｆｐによるコーナーに対し図６の長椅子状家具ＣＦ３と図１１の小天板テーブル１１を対向配置してセミクローズ空間にした例、図２６は、図２４のパネル状家具ＰＦとフラット画面Ｆｐによるコーナー部に図２６の天板より長い長方形天板のテーブル９を配し、該テーブル９を挟んで図６の長椅子状家具ＣＦ３と背面パネル３を備えないソファー等のスツールＣを配置してセミクローズ空間に形成した例である。
図２０〜図２６に例示したセミクローズ空間は、図７、図８のパネル状家具ＰＦ、テーブル状家具ＴＦと椅子状家具ＣＦとの組み合わせによる本発明セミクローズ空間の例である。